【手続補正書】
【提出日】令和1年8月6日(2019.8.6)
【手続補正１】
【補正対象書類名】特許請求の範囲
【補正対象項目名】全文
【補正方法】変更
【補正の内容】
【特許請求の範囲】
【請求項１】
表示部の表示面に操作対象のオブジェクトを表示させ、タッチパッドの操作面に対するユーザの操作を受け付けて前記オブジェクトの表示を制御する表示制御装置であって、
前記表示部に前記オブジェクトを表示させる表示制御部と、
前記操作面に対する前記ユーザのタッチ部位による接触を検出する前記タッチパッドの検出結果に基づいて、前記表示面上の前記オブジェクトに対する操作を受け付ける操作受付部と、
前記操作受付部で受け付けた操作が、前記表示面上に定められた所定範囲の外側から当該所定範囲の内側へのスライド操作の場合に、前記操作面を振動させる振動部を制御し、前記スライド操作が前記所定範囲の内側に達した時に前記操作面を所定の振動状態で振動させる振動制御部と、
を備え、
前記スライド操作が、前記オブジェクトとしてのカーソルを移動させる操作の場合、前記スライド操作が前記表示面上のアイコンの周囲に定められた前記所定範囲の内側に達した時に、前記振動制御部が前記操作面を前記所定の振動状態で振動させて前記操作面と前記ユーザの操作部位との摩擦を小さくすると共に、表示制御部が前記カーソルを前記アイコン上に表示させる
表示制御装置。
【請求項２】
前記所定範囲を複数有し、前記所定範囲毎に異なる振動状態が設定され、前記スライド操作が前記所定範囲の内側に達した時に、前記所定範囲毎に設定された所定の振動状態で前記操作面を振動させる請求項１に記載の表示制御装置。
【請求項３】
表示部の表示面に操作対象のオブジェクトを表示させ、前記表示面と対応付けた操作面に対するユーザの操作を受け付ける表示制御装置であって、
前記表示部に前記オブジェクトを表示させる表示制御部と、
前記操作面に対する前記ユーザのタッチ部位による接触を検出する検出部の検出結果に基づいて、前記表示面上の前記オブジェクトに対する操作を受け付ける操作受付部と、
前記操作受付部で受け付けた操作が、前記表示面上に定められた所定範囲の内側から当該所定範囲の外側へのスライド操作の場合に、前記操作面を振動させる振動部を制御し、前記スライド操作が前記所定範囲の外側に達した時に前記操作面を所定の振動状態で振動
させる振動制御部と、
を備え、
前記スライド操作が、前記オブジェクトとしてのカーソルを移動させる操作の場合、前記振動制御部が前記操作面を前記所定の振動状態で振動させて前記操作面と前記ユーザの操作部位との摩擦を小さくすると共に、表示制御部が前記振動の開始後、所定時間内に前記操作面に対して行われた操作によるカーソルの移動を無効にする
表示制御装置。
【請求項４】
前記所定範囲を複数有し、前記所定範囲毎に異なる振動状態が設定され、前記スライド操作が前記所定範囲の外側に達した時に、前記所定範囲毎に設定された所定の振動状態で前記操作面を振動させる請求項３に記載の表示制御装置。
【請求項５】
前記振動制御部が、前記スライド操作によって前記所定の振動状態で前記操作面の振動を開始させた後、所定時間後に前記操作面の振動状態を前記所定の振動状態とする前の状態に戻す請求項１〜４の何れか１項に記載の表示制御装置。
【請求項６】
前記検出部が、前記表示部と別体に設けられたタッチパッドである請求項３又は４に記載の表示制御装置。
【請求項７】
操作対象のオブジェクトを表示する表示部と、
前記表示部に前記オブジェクトを表示させる表示制御部と、
操作面に対するユーザのタッチ部位による接触を検出するタッチパッドと、
前記タッチパッドの検出結果に基づいて、前記表示面上の前記オブジェクトに対する操作を受け付ける操作受付部と、
前記操作面を振動させる振動部と、
前記操作受付部で受け付けた操作が、前記表示面上に定められた所定範囲の外側から当該所定範囲の内側へのスライド操作の場合、前記振動部を制御して、前記スライド操作が前記所定範囲の内側に達した時に前記操作面を所定の振動状態で振動させる振動制御部と、
を備え、
前記スライド操作が、前記オブジェクトとしてのカーソルを移動させる操作の場合、前記スライド操作が前記表示面上のアイコンの周囲に定められた前記所定範囲の内側に達した時に、前記振動制御部が前記操作面を前記所定の振動状態で振動させて前記操作面と前記ユーザの操作部位との摩擦を小さくすると共に、表示制御部が前記カーソルを前記アイコン上に表示させる
表示制御システム。
【請求項８】
操作対象のオブジェクトを表示する表示部と、
前記表示部に前記オブジェクトを表示させる表示制御部と、
前記操作面に対するユーザのタッチ部位による接触を検出する検出部と、
前記検出部の検出結果に基づいて、前記表示面上の前記オブジェクトに対する操作を受け付ける操作受付部と、
前記操作面を振動させる振動部と、
前記操作受付部で受け付けた操作が、前記表示面上に定められた所定範囲の内側から当該所定範囲の外側へのスライド操作の場合、前記振動部を制御して、前記スライド操作が前記所定範囲の外側に達した時に前記操作面を所定の振動状態で振動させる振動制御部と、
を備え、
前記スライド操作が、前記オブジェクトとしてのカーソルを移動させる操作の場合、前記振動制御部が前記操作面を前記所定の振動状態で振動させて前記操作面と前記ユーザの
操作部位との摩擦を小さくすると共に、表示制御部が前記振動の開始後、所定時間内に前記操作面に対して行われた操作によるカーソルの移動を無効にする
表示制御システム。
【請求項９】
表示部の表示面に操作対象のオブジェクトを表示させ、タッチパッドの操作面に対するユーザの操作を受け付けて前記オブジェクトの表示を制御するコンピュータが、
前記表示部に前記オブジェクトを表示させる表示制御ステップと、
前記操作面に対する前記ユーザのタッチ部位による接触を検出する前記タッチパッドの検出結果に基づいて、前記表示面上の前記オブジェクトに対する操作を受け付ける操作受付ステップと、
前記操作受付ステップで受け付けた操作が、前記表示面上に定められた所定範囲の外側から当該所定範囲の内側へのスライド操作の場合に、前記操作面を振動させる振動部を制御し、前記スライド操作が前記所定範囲の内側に達した時に前記操作面を所定の振動状態で振動させて前記操作面と前記ユーザの操作部位との摩擦を小さくすると共に、前記オブジェクトとしてのカーソルを前記所定範囲内のアイコン上に表示させる制御ステップと、を実行する表示制御方法。
【請求項１０】
表示部の表示面に操作対象のオブジェクトを表示させ、前記表示面と対応付けた操作面に対するユーザの操作を受け付ける機器を制御するコンピュータが、
前記表示部に前記オブジェクトを表示させる表示制御ステップと、
前記操作面に対する前記ユーザのタッチ部位による接触を検出する検出部の検出結果に基づいて、前記表示面上の前記オブジェクトに対する操作を受け付ける操作受付ステップと、
前記操作受付ステップで受け付けた操作が、前記表示面上に定められた所定範囲の内側から当該所定範囲の外側へのスライド操作の場合に、前記操作面を振動させる振動部を制御し、前記スライド操作が前記所定範囲の外側に達した時に前記操作面を所定の振動状態で振動させて前記操作面と前記ユーザのタッチ部位との摩擦を小さくすると共に、前記振動を開始させた後、所定時間内に前記操作面に対して行われた操作によるカーソルの移動を無効にする制御ステップと、
を実行する表示制御方法。
【手続補正２】
【補正対象書類名】明細書
【補正対象項目名】００１６
【補正方法】変更
【補正の内容】
【００１６】
タッチパッド２は、筐体２ｄの上部に設けられた操作面２ａに接触されたユーザの指等の接触位置やその変化を操作情報として検出する入力デバイス（検出部）である。タッチパッド２は、操作面２ａに接触させたユーザの指等の接触位置が、例えば、タッチパッド２の左上角部を原点として、左右方向をＸ軸、上下方向をＹ軸とした二次元座標（Ｘ，Ｙ）として入力される。タッチパッド２で検出された接触位置の座標は、例えば、１０ｍｓといった一定の周期間隔で表示制御装置１０に入力される。これによりユーザが操作面上をなぞるようにスライド操作を行い、接触位置を変化させた場合、タッチパッド２が、この接触位置の座標を順次表示制御装置１０に入力するので、表示制御装置１０は、この接触位置の座標変化により、スライド操作の方向やスライド量（移動量）を操作情報として受け付ける。例えば、表示制御装置１０は、ＨＵＤ１２０の表示面とタッチパッド２の操作面２ａを対応付け、操作面２ａに対するスライド操作が行われた場合、ＨＵＤ１２０に表示するカーソルの位置を移動させる。これによりタッチパッド２は、ＨＵＤ１２０に表示するオブジェクトに対する操作の位置を指定するポインティングデバイスとして機能す
る。また、タッチパッド２は、操作面２ａに対する押圧やタップ等の操作を検出し、例えばカーソルによって指定した位置のオブジェクトを選択する操作（以下、選択操作とも称す）として表示制御装置１０に入力してもよい。なお、選択操作は、操作面２ａに対する操作に限らず、操作面２ａの近傍に物理的な操作ボタンを設け、この操作ボタンが押されたことを示す情報を選択操作として表示制御装置１０に入力する構成としてもよい。
【手続補正３】
【補正対象書類名】明細書
【補正対象項目名】００２９
【補正方法】変更
【補正の内容】
【００２９】
表示制御装置１０では、ＣＰＵ１１のプログラムの実行により、図２に示す操作受付部１０１、振動制御部１０２、表示制御部１０３の各処理部が提供される。但し、上記各処理部の少なくとも一部の処理がＤＳＰ（Digital Signal Processor）、ＡＳＩＣ（Application Specific Integrated Circuit）等によって提供されてもよい。また、上記各処理
部の少なくとも一部が、ＦＰＧＡ（Field-Programmable Gate Array）等の専用ＬＳＩ（large scale integration）、その他のデジタル回路であってもよい。また、上記各処理部の少なくとも一部にアナログ回路を含む構成としてもよい。表示制御装置１０は、上記各処理部が参照し、或いは、管理するデータの格納先として補助記憶部１３に部品管理ＤＢ２０１を備える。
【手続補正４】
【補正対象書類名】明細書
【補正対象項目名】００３０
【補正方法】変更
【補正の内容】
【００３０】
図２の操作受付部１０１は、タッチパッド２を介して検出された指の接触位置の座標を受け付ける。操作受付部１０１は、例えば、１０ｍｓといった一定の周期間隔で接触位置の座標を受け付ける。操作受付部１０１は、接触位置の座標を主記憶部１２の所定の領域に一時的に記憶する。一定の周期間隔で受け付けられた接触位置の座標変化は、タッチパッド２上を移動する移動操作に伴う時系列上の軌跡となる。操作受付部１０１は、取得した接触位置の座標位置を、振動制御部１０２、表示制御部１０３に引き渡す。
【手続補正５】
【補正対象書類名】明細書
【補正対象項目名】００３６
【補正方法】変更
【補正の内容】
【００３６】
表示制御装置１０は、ステップＳ１０で受け付けた操作が、スライド操作か否か、即ち、操作面上をなぞるように座標が連続して変化しているか否かを判定する（ステップＳ２０）。この受け付けた操作が、スライド操作でない場合（ステップＳ２０、Ｎｏ）、図１０の処理を終了し、スライド操作の場合（ステップＳ２０、Ｙｅｓ）、スライド操作によって移動されたカーソル５３の移動開始点が所定範囲（例えば図５の５１１，５２１）の外側か否かを判定する（ステップＳ３０）。
【手続補正６】
【補正対象書類名】明細書
【補正対象項目名】００３７
【補正方法】変更
【補正の内容】
【００３７】
また、この移動開始点が所定範囲の外側の場合（ステップＳ３０、Ｙｅｓ）、表示制御装置１０は、現時点のカーソル５３の位置が所定範囲の内側に達したか否かを判定する（ステップＳ４０）。カーソル５３の位置が所定範囲の内側に達した場合（ステップＳ４０、Ｙｅｓ）、表示制御装置１０は、ピエゾ駆動回路２ｃを制御して、操作面２ａを所定の振動状態で振動させる。このとき表示制御装置１０は、部品管理ＤＢ２０１を参照して当該所定範囲が割り当てられたオブジェクト（アイコン）を特定し、当該オブジェクトに設定された振動状態に基づいて操作面２ａを振動させる（ステップＳ５０）。これにより操作面上をスライド操作する指の摩擦を小さくさせる。
【手続補正７】
【補正対象書類名】明細書
【補正対象項目名】００４０
【補正方法】変更
【補正の内容】
【００４０】
また、表示制御装置１０は、前記アイコン５１に対する選択操作が行われたか否かを判定する（ステップＳ９０）。この選択操作が行われた場合には（ステップＳ９０、Ｙｅｓ）、当該アイコン（選択対象のオブジェクト）に割り当てられた機能を実行させる（ステップＳ１００）。
【手続補正８】
【補正対象書類名】明細書
【補正対象項目名】００４１
【補正方法】変更
【補正の内容】
【００４１】
一方、ステップＳ３０で、スライド操作の開始点が所定範囲の内側である場合（ステップＳ３０、Ｎｏ）、表示制御装置１０は、現時点のカーソル５３の位置が所定範囲の外側に達したか否かを判定する（ステップＳ１１０）。カーソル５３の位置が所定範囲の外側に達した場合（ステップＳ１１０、Ｙｅｓ）、表示制御装置１０は、ピエゾ駆動回路２ｃを制御して、操作面２ａを所定の振動状態で振動させる（ステップＳ１２０）。このとき表示制御装置１０は、部品管理ＤＢ２０１を参照して当該所定範囲が割り当てられたオブジェクト（アイコン）を特定し、当該オブジェクトに設定された振動状態に基づいて操作面２ａを振動させる。
【手続補正９】
【補正対象書類名】明細書
【補正対象項目名】００５８
【補正方法】変更
【補正の内容】
【００５８】
図１１は、ディスプレイ（表示部）２０２に操作対象のオブジェクトを表示した例を示す図である。本実施形態２の表示制御装置１０は、例えば図５に示すように、ＨＵＤ１２０の表示面に操作対象のオブジェクトとして、複数のアイコン６１，６２を表示する。ここで、アイコン６１，６２を含む位置には、所定範囲６１１，６２１が定められている。この所定範囲６１１，６２１は、アイコン６１，６２の中心から所定距離までの範囲であ
り、操作位置が、この所定範囲６１１，６２１内に達した場合に、アイコン６１，６２をポイントした（選択対象とした）と見なす範囲である。